(57)【要約】【課題】繊維強化熱可塑性樹脂（ＦＲＴＰ）について、強化繊維が切断されることを抑制しつつ粉砕ないし切断することや、内部まで有効且つ迅速に加熱することを容易にして、効率的にリサイクルすることを可能とする。【解決手段】液体を吸収させた熱可塑性樹脂１８を加熱することで、液体を気化させるとともに、熱可塑性樹脂１８の強化繊維１２に対する押圧力が該強化繊維１２の反発力よりも小さくなるように熱可塑性樹脂１８を軟化させる。この軟化により、強化繊維１２が熱可塑性樹脂１８の拘束から解放され、前記の反発力に基づいて圧縮された状態から元の形状に戻ろうとする。この反発力と、液体の気化膨張とによって熱可塑性樹脂１８を押圧し、特に、繊維層１４、１４（強化繊維１２、１２）同士の間に空隙２０を形成し、多孔質な膨張体２２とする。【選択図】図２
2015196773.tif 000002
【特許請求の範囲】
【請求項１】
強化繊維と、該強化繊維を囲繞し且つ該強化繊維の反発力よりも大きな押圧力を付与することで該強化繊維を拘束する熱可塑性樹脂とを含む繊維強化熱可塑性樹脂のリサイクル方法であって、
前記熱可塑性樹脂に液体を吸収させる工程と、
前記液体が気化するとともに、前記熱可塑性樹脂が軟化して該熱可塑性樹脂の前記強化繊維に対する押圧力が該強化繊維の反発力よりも小さくなるまで前記繊維強化熱可塑性樹脂を加熱し、前記熱可塑性樹脂の拘束から解放された前記強化繊維の反発力によって前記熱可塑性樹脂を押圧して前記強化繊維同士の間に空隙を形成することにより、前記繊維強化熱可塑性樹脂を膨張させる工程と、
を有することを特徴とする繊維強化熱可塑性樹脂のリサイクル方法。
【請求項２】
請求項１記載のリサイクル方法において、前記液体が水であることを特徴とする繊維強化熱可塑性樹脂のリサイクル方法。
【請求項３】
請求項１又は２記載のリサイクル方法において、膨張させた前記繊維強化熱可塑性樹脂を冷却して固化した後、切断又は粉砕の少なくともいずれか一方の処理を行うことを特徴とする繊維強化熱可塑性樹脂のリサイクル方法。
【請求項４】
請求項１〜３のいずれか１項に記載のリサイクル方法において、前記繊維強化熱可塑性樹脂の加熱を真空又は不活性ガス雰囲気下で行うことを特徴とする繊維強化熱可塑性樹脂のリサイクル方法。
【請求項５】
請求項１又は２記載のリサイクル方法において、膨張させた前記繊維強化熱可塑性樹脂に含まれる前記熱可塑性樹脂を熱分解することで、前記強化繊維を回収することを特徴とする繊維強化熱可塑性樹脂のリサイクル方法。
【請求項６】
請求項１〜５のいずれか１項に記載のリサイクル方法であって、前記強化繊維の長さが１ｍｍ以上であることを特徴とする繊維強化熱可塑性樹脂のリサイクル方法。
【発明の詳細な説明】
【技術分野】
【０００１】
本発明は、強化繊維と熱可塑性樹脂とを含んで構成される繊維強化熱可塑性樹脂のリサイクル方法に関する。
【背景技術】
【０００２】
強化繊維と熱可塑性樹脂とを含む繊維強化熱可塑性樹脂（ＦＲＴＰ：Fiber Reinforced Thermo Plastics）の成形品について、使用済みの回収品や、製造工程で生じた端材及び成形不良品等（以下、総称して廃ＦＲＴＰ材ともいう）をリサイクルする方法が提案されている。
【０００３】
例えば、特許文献１には、ドリル孔や表面傷等が形成され、損傷した使用済みのＦＲＴＰ成形品について、外観品質を修復し、再使用可能な状態とする方法が記載されている。具体的には、上記の使用済みＦＲＴＰ成形品の両面に板状体を重ね合わせて加熱し、熱可塑性樹脂が溶融している状態で板状体同士を接近させて加圧する。これにより熱可塑性樹脂を流動させてドリル孔や表面傷等を埋めることで、外観品質を修復する。
【０００４】
続いて、熱可塑性樹脂が溶融した状態のままで加圧力を除去して、強化繊維をスプリングバックさせる。これにより板状体同士の間を均一に膨張させた後、再度加圧することにより、膨張して増加した分の厚みを低減させる。さらに、この状態で熱可塑性樹脂を冷却固化し、板状体を取り外すことで、再使用可能なＦＲＴＰ成形品を得ている。
【０００５】
しかしながら、上記のリサイクル方法は、使用済みのＦＲＴＰ成形品を同一の形状及び用途で再使用することを前提としており、異なる形状に再成形し異なる用途に供し得るＦＲＴＰ成形品を得ることについては想定されていない。
【０００６】
最初の用途とは異なる用途に供し得る素材を得るリサイクル方法としては、例えば、特許文献２、３に記載されたものが挙げられる。いずれも、廃ＦＲＴＰ材を粉砕した粉砕物を集積した後に加熱溶融することで、再成形体を得るリサイクル方法である。すなわち、廃ＦＲＴＰ材を粉砕して粉砕物とすることで、熱プレス成形や射出成形を再び施して再成形体とするための再成形用素材としている。
【０００７】
廃ＦＲＴＰ材のさらにまた別のリサイクル方法としては、特許文献４に開示されるように、熱可塑性樹脂を熱分解して廃ＦＲＴＰ材から除去することで、強化繊維を回収して再利用するものがある。
【先行技術文献】
【特許文献】
【０００８】
【特許文献１】特開平６−３２０５４１号公報
【特許文献２】特開２００２−９６３２４号公報
【特許文献３】特開平８−１６７０号公報
【特許文献４】特開平６−９９１６０号公報
【発明の概要】
【発明が解決しようとする課題】
【０００９】
ＦＲＴＰ成形品は、強化繊維を熱可塑性樹脂によって囲繞・押圧した高密度・高強度のバルク体である。このようなバルク体である廃ＦＲＴＰ成形品を粉砕や切断すること自体、容易ではない。特に強化繊維に炭素繊維を用いた成形品を切断する場合、炭素繊維が比較的高強度且つ高硬度であるため切断工具の摩耗が激しくなり、経済的な観点から好ましくない。
【００１０】
また、廃ＦＲＴＰ材を粉砕等したとしても、母材である熱可塑性樹脂とともに強化繊維も切断されてしまうため、得られた再成形用素材から十分に強度の高い成形品を再成形することは困難である。すなわち、特許文献２、３記載の方法で実使用可能な再成形用素材を得ることはできない。
【００１１】
さらに、特許文献４記載の方法においても、繊維強化複合材料では、強化繊維の配向方向以外の方向に対する熱伝導性が金属材料等に比して著しく低いため、上記のバルク状の廃ＦＲＴＰ材に対して、内部の熱可塑性樹脂にまで熱を伝えることは容易ではなく処理に時間がかかる。すなわち、廃ＦＲＴＰ材に含まれる熱可塑性樹脂を全て熱分解して、強化繊維のみを効率的に回収することは困難である。
【００１２】
本発明は上記した問題を解決するためになされたものであり、廃ＦＲＴＰ材について、強化繊維が切断されることを抑制しつつ粉砕ないし切断することや、内部まで有効に加熱することが容易な状態、すなわち、有効且つ迅速にリサイクルすることが可能な状態にして、リサイクル効率を向上させることが可能な繊維強化熱可塑性樹脂のリサイクル方法を提供することを目的とする。
【課題を解決するための手段】
【００１３】
前記の目的を達成するために、本発明は、強化繊維と、該強化繊維を囲繞し且つ該強化繊維の反発力よりも大きな押圧力を付与することで該強化繊維を拘束する熱可塑性樹脂とを含む繊維強化熱可塑性樹脂のリサイクル方法であって、
前記熱可塑性樹脂に液体を吸収させる工程と、
前記液体が気化するとともに、前記熱可塑性樹脂が軟化して該熱可塑性樹脂の前記強化繊維に対する押圧力が該強化繊維の反発力よりも小さくなるまで前記繊維強化熱可塑性樹脂を加熱し、前記熱可塑性樹脂の拘束から解放された前記強化繊維の反発力によって前記熱可塑性樹脂を押圧して前記強化繊維同士の間に空隙を形成することにより、前記繊維強化熱可塑性樹脂を膨張させる工程と、
を有することを特徴とする。
【００１４】
繊維強化熱可塑性樹脂（ＦＲＴＰ）では、縒り合わされた強化繊維が熱可塑性樹脂中に圧縮された（すなわち、弾性変形した）状態で存在する。すなわち、強化繊維は、熱可塑性樹脂から押圧力を受けている。強化繊維が元の形状に戻ろうとするため、熱可塑性樹脂には、強化繊維からの反発力が作用する。この反発力が前記押圧力に比して小さいため、強化繊維は、圧縮されて反発力を蓄えた状態で熱可塑性樹脂に拘束されている。
【００１５】
このＦＲＴＰに液体を吸収させた後、熱可塑性樹脂の融点又はガラス転移点以上の温度まで加熱すると、熱可塑性樹脂が軟化して強化繊維に対する押圧力が低下する。これに伴い強化繊維が熱可塑性樹脂の拘束から解放され、その反発力に従って変形する。その結果、強化繊維同士の間に空隙が形成されてＦＲＴＰが膨張する。また、上記の通りＦＲＴＰを加熱することに伴って、該熱可塑性樹脂に吸収されていた液体が気化する。この際の気化膨張も相俟って、ＦＲＴＰの膨張をさらに促進することができる。
【００１６】
従って、本発明では、ＦＲＴＰの単位体積あたりの密度（見掛け密度）を低減させることができる。このようなＦＲＴＰは低強度であるので、容易に粉砕ないし切断することができる。
【００１７】
また、上記したように強化繊維同士の間に空隙が形成されるため、粉砕ないし切断を行う際には、強化繊維同士の間で剥離による破壊が起こる。このため、強化繊維が切断されることを抑制しつつＦＲＴＰを粉砕及び切断することが容易である。
【００１８】
しかも、内部に空隙が形成されたＦＲＴＰでは、熱が内部に容易に回り込む。このため、内部まで加熱することが容易である。すなわち、ＦＲＴＰを効率よくリサイクルすることが可能となる。
【００１９】
熱可塑性樹脂に吸収させる液体は、低コストであり且つ取り扱いが容易であることから、水が好ましい。しかも、この場合、熱可塑性樹脂の吸水性を利用して、熱可塑性樹脂に水を容易に吸収させることができる。さらに、ＦＲＴＰを加熱する際に、熱可塑性樹脂に吸収された水を容易に蒸発させて膨張させることができる。従ってＦＲＴＰの体積を容易且つ良好に膨張させて、ＦＲＴＰをより効率的にリサイクルすることが可能になる。
【００２０】
上記のように膨張させたＦＲＴＰをさらに冷却して固化した後、切断又は粉砕の少なくともいずれか一方の処理を行うことが好ましい。ＦＲＴＰを膨張させた状態で冷却することによって、密度を低減させた状態、すなわち強度を低下させた状態で固化することができる。
【００２１】
このように固化したＦＲＴＰでは、熱可塑性樹脂中及び強化繊維同士の間に空隙が形成され、且つ熱可塑性樹脂の強化繊維に対する拘束（押圧力）が低減している。従って、強化繊維同士の間を破壊しつつ、容易に熱可塑性樹脂を粉砕又は切断することができる。これにより強化繊維が切断されることが抑制されるので、比較的長尺な強化繊維を含み、このために十分な強度を示す成形品を再成形することが可能な再成形用素材を得ることができる。
【００２２】
ＦＲＴＰの加熱は、真空又は不活性ガス雰囲気下で行うことが好ましい。これにより、熱可塑性樹脂や強化繊維が酸化して劣化することを抑制することができる。従って、より良好な再生形用素材を得ることが可能になる。
【００２３】
上記のように膨張させたＦＴＲＰの熱可塑性樹脂を熱分解することによって、強化繊維を回収することも可能である。上記したようにＦＲＴＰの内部に多数の空隙が形成されるため、ＦＲＴＰの内部まで加熱することが容易となる。熱分解に酸化反応を併用する場合においても、ＦＲＴＰの内部まで空気が入り込んでいるため迅速且つ効果的に分解を進行させることができる。従って、熱可塑性樹脂を容易に熱分解して強化繊維のみを効率的に回収することができる。
【００２４】
強化繊維の長さは、１ｍｍ以上であることが好ましい。この場合、熱可塑性樹脂を軟化させた際に、強化繊維に十分な反発力が発現する。従って、ＦＲＴＰをより効率的に膨張させることが可能となる。
【発明の効果】
【００２５】
本発明によれば、ＦＲＴＰの特に強化繊維同士の間に空隙を形成することができるので、ＦＲＴＰを膨張させて単位体積あたりの密度（見掛け密度）を低減させることができる。このようなＦＲＴＰは低強度であり、しかも、強化繊維同士の間で破壊が容易に進行する。このため、強化繊維が切断されることを抑制しつつＦＲＴＰを粉砕及び切断することが可能となる。すなわち、十分な強度を示す成形品が得られる再成形用素材とすることができる。
【００２６】
また、ＦＲＴＰの内部を加熱することが容易となるので、例えば、熱可塑性樹脂を熱分解して強化繊維を回収するときに有利となる。
【図面の簡単な説明】
【００２７】
【図１】本実施形態に係るリサイクル方法を実施する繊維強化熱可塑性樹脂（ＦＲＴＰ）成形品につき、その側面を拡大して示した光学顕微鏡写真である。
【図２】図１のＦＲＴＰ成形品に対して吸水処理及び加熱処理を施した後に冷却固化させて得た膨張体（多孔質体）の側面を拡大して示した光学顕微鏡写真である。
【図３】図２の膨張体を解体して得た砕片を拡大して示した光学顕微鏡写真である。
【発明を実施するための形態】
【００２８】
以下、本発明に係る繊維強化熱可塑性樹脂のリサイクル方法について好適な実施形態を挙げ、添付の図面を参照して詳細に説明する。
【００２９】
本実施形態に係るリサイクル方法は、強化繊維と熱可塑性樹脂とを含んで構成されるＦＲＴＰ成形品のうち、使用済みの回収品や、製造工程で生じた端材及び成形不良品等の廃ＦＲＴＰ材に対して好適に適用される。
【００３０】
図１は、この種のＦＲＴＰ成形品１０の側面の光学顕微鏡写真である。ここで、ＦＲＴＰ成形品１０は、独国ボンドラミネート社製のテペックスダイナライトであり、縒り合わせた炭素繊維（強化繊維１２）の束を２次元的に配向させた繊維層１４を複数重畳した重畳体１６を、ナイロン−６，６（Ｎ６６）からなる熱可塑性樹脂１８で囲繞・押圧したものである。図１では、ＦＲＴＰ成形品１０における強化繊維１２の繊維方向に沿う方向を示している。なお、この場合、強化繊維１２は４５体積％である。
【００３１】
ＦＲＴＰ成形品１０は、溶融した熱可塑性樹脂１８を含浸させた重畳体１６に高圧を付与して内部の空隙を除去した後、前記熱可塑性樹脂１８を冷却固化することで得られる。すなわち、ＦＲＴＰ成形品１０では、強化繊維１２は、冷却固化に伴って収縮した熱可塑性樹脂１８に囲繞されており、このため、該熱可塑性樹脂１８から押圧力を受けている。従って、強化繊維１２は、圧縮された状態にある。
【００３２】
強化繊維１２から熱可塑性樹脂１８には、強化繊維１２が元の形状に戻ろうとする反発力が作用する。しかしながら、熱可塑性樹脂１８の押圧力の方が大きいため、強化繊維１２は、圧縮された状態で、固化した熱可塑性樹脂１８に拘束されている。
【００３３】
以下、このＦＲＴＰ成形品１０に対して本実施形態に係るリサイクル方法を適用とする場合を例示して説明するが、適用対象が上記のＦＲＴＰ成形品１０に限定されるものではないことは勿論である。
【００３４】
例えば、強化繊維としては、上記の炭素繊維の他、ガラス繊維、アラミド繊維、天然繊維、金属繊維、セラミックス繊維、超高分子量ポリエチレン繊維等を採用することができる。いずれにおいても、長さ１ｍｍ以上の複数の強化繊維の束が２次元又は１次元的に配向されていることが好ましい。
【００３５】
さらに、強化繊維の割合は、例えば、１０〜８０体積％、一層好ましくは２０〜７０％に設定することができる。
【００３６】
また、熱可塑性樹脂としては、上記のＮ６６の他、ポリオレフィン、ポリエステル、ポリアミド、芳香族ポリケトン及び芳香族系高分子等を採用することができる。
【００３７】
ポリオレフィンの代表例には、ポリエチレン（ＰＥ）、ポリプロピレン（ＰＰ）、ポリスチレン（ＰＳ）等が挙げられる。また、ポリエステルとしてはポリエチレンテレフタレート（ＰＥＴ）、ポリブチレンテレフタレート（ＰＢＴ）、ポリカーボネート（ＰＣ）等が例示され、ポリアミドとしてはナイロン−６（Ｎ６）、半芳香族ポリアミド類等が例示される。さらに、芳香族ポリケトンとしてはポリエーテルスルホン（ＰＥＳ）、ポリエーテルイミド（ＰＥＩ）、ポリエーテルエーテルケトン（ＰＥＥＫ）、ポリエーテルケトン（ＰＥＫ）等が挙げられ、芳香族系高分子としてはポリサルホン（ＰＳＦ）、ポリフェニレンサルファイド（ＰＰＳ）、ポリベンゾイミダゾール（ＰＢＩ）等が挙げられる。
【００３８】
本実施形態に係るリサイクル方法では、先ず、熱可塑性樹脂１８に液体を吸収させる。このためには、例えば、ＦＲＴＰ成形品１０を液体中に浸漬すればよい。別の方法としては、液体を気化させた蒸気中又は該蒸気を含んだ気体中にＦＲＴＰ成形品１０を放置してもよい。
【００３９】
前記液体は、熱可塑性樹脂１８及び強化繊維１２に対して化学的変化（劣化）を生じさせるものではなく、且つ熱可塑性樹脂１８の溶融温度（融点又はガラス転移点）以下の温度で気化するものであればよい。このような液体としてはアルコールや水等を例示することができるが、低コストであり、取り扱いが極めて容易であるという利点があることから、水が特に好ましい。
【００４０】
液体を水とすることで、熱可塑性樹脂１８や強化繊維１２に劣化を生じさせることなく、熱可塑性樹脂１８に容易に吸水させることができるとともに、後述するようにＦＲＴＰ成形品１０を加熱することによって、熱可塑性樹脂１８中から容易に蒸発させることができる。さらに、熱可塑性樹脂１８の吸水性を利用して、空気中の水分を吸収させることも可能となる。
【００４１】
次いで、液体を含むＦＲＴＰ成形品１０を、例えば、熱可塑性樹脂１８に加熱による劣化が生じない範囲内で、該熱可塑性樹脂１８の溶融温度以上の温度となるまで加熱する。ＦＲＴＰ成形品１０の加熱は、空気中で行うことも可能であるが、真空、又は窒素やアルゴン等の不活性ガス雰囲気下で行うことが好ましい。これにより熱可塑性樹脂１８が酸化して劣化することを抑制することができる。なお、加熱手段は特に限定されるものではなく、電熱、遠赤外線、近赤外線、燃焼等の公知の手段を用いて行うことができる。
【００４２】
上記の通りＦＲＴＰ成形品１０を加熱することによって、熱可塑性樹脂１８に吸収されていた液体が気化して膨張する。また、熱可塑性樹脂１８が軟化し、このために強化繊維１２を拘束する熱可塑性樹脂１８の押圧力が低下する。すなわち、該押圧力が強化繊維１２の反発力よりも小さくなる。その結果、強化繊維１２が熱可塑性樹脂１８の拘束から解放され、圧縮状態から元の形状に戻るように変形する。この際、軟化した熱可塑性樹脂１８が強化繊維１２によって押圧される。
【００４３】
以上のように、液体が気化した気体及び強化繊維１２によって熱可塑性樹脂１８が押圧される。この押圧により、ＦＲＴＰ成形品１０が内部から押し広げられる。これを冷却することにより、図２に示すように、繊維層１４の層間及び熱可塑性樹脂１８中に大容積の空隙２０が多数形成される。換言すれば、ＦＲＴＰ成形品１０を膨張させて多孔質体とすることができる。以下では、このようにして膨張し多孔質体となったＦＲＴＰ成形品１０を膨張体２２と称する。なお、強化繊維１２の長さを１ｍｍ以上とすることで、強化繊維１２の反発力を良好に発現させて、ＦＲＴＰ成形品１０を一層容易に膨張させることができる。
【００４４】
膨張体２２では、ＦＲＴＰ成形品１０に比して単位体積あたりの見掛け密度が小さい。上記したように大容積の空隙２０が多数形成されているからである。
【００４５】
このような膨張体２２は、強度が小さい。さらに、空隙２０が存在するために繊維層１４の層間が剥離し易くなっている。従って、膨張体２２を粉砕ないし切断することが容易であり、このときには、繊維層１４、１４同士の層間で破壊が生じる。このため、強化繊維１２が切断されて短くなることを抑制しつつ、膨張体２２（ＦＲＴＰ成形品１０）を容易に粉砕及び切断することができる。なお、粉砕手段及び切断手段は特に限定されるものではなく、プレス、シュレッダ、ミル等の公知の手段を用いることができる。
【００４６】
このような粉砕片ないし切断片は、例えば、母材となる熱可塑性樹脂の含有量を調整した後、押し出し機によってペレット化することで、射出成形用の出発材料（再成形用素材）とすることができる。上記したように粉砕片ないし切断片では、強化繊維１２が切断することが回避されているので、該再成形用素材を用いることにより、十分な強度を示す射出成形品を得ることができる。
【００４７】
又は、粉砕片ないし切断片をプレス成形の出発材料（再成形用素材）とするようにしてもよい。この場合、粉砕片ないし切断片を加熱するとともにプレスすることによってプレス成形品を得ることができる。このようにしても、上記の射出成形と同様の理由から、十分な強度を示すプレス成形品を得ることができる。
【００４８】
以上のように、本実施形態によれば、ＦＲＴＰ成形品１０から良好な再成形用素材を得ることができる。すなわち、ＦＲＴＰ成形品１０を有効にリサイクルすることが可能である。
【００４９】
また、上記のようにして得られた膨張体２２から強化繊維１２を回収して再使用することも可能である。以下、この回収について説明する。
【００５０】
このリサイクル方法では、脱酸素雰囲気下において、熱可塑性樹脂１８が熱分解される温度まで膨張体２２を加熱する。このような条件下での加熱により、熱可塑性樹脂１８が熱分解される。膨張体２２の内部には多数の空隙２０が形成されているので、該膨張体２２の内部に熱が回り込み易い。すなわち、膨張体２２を、その内部まで効率よく加熱し、熱可塑性樹脂１８を容易に熱分解することができる。熱分解に酸化反応を併用する場合においても、ＦＲＴＰの内部まで空気が入り込んでいるため迅速且つ効果的に分解を進行させることができる。
【００５１】
一方、強化繊維１２は化学的・物理的に変化しない。このため、ＦＲＴＰ成形品１０から熱可塑性樹脂１８が分離除去され、強化繊維１２が残留する。これにより、強化繊維１２を容易に回収することができる。
【００５２】
さらに、ＦＲＴＰ成形品１０の他のリサイクル方法として、冷却する前の膨張体２２を単純燃焼させ、熱エネルギを回収することが挙げられる。上記したように膨張体２２の内部には熱及び空気が回り込み易いので、該膨張体２２は容易に燃焼する。このため、効率的に熱エネルギを回収することが可能となる。
【００５３】
以上説明したように、ＦＲＴＰ成形品１０に液体を吸収させて膨張させることにより、繊維層１４、１４（強化繊維１２、１２）同士の間や熱可塑性樹脂１８中に空隙２０を形成することができ、その結果、ＦＲＴＰ成形品１０を低強度な多孔質体（膨張体２２）とすることができる。この膨張体２２では、特に、繊維層１４、１４間で破壊が生じる。従って、強化繊維１２が切断されることを抑制しつつＦＲＴＰ成形品１０を粉砕及び切断することが可能である。また、該膨張体２２を、内部まで有効に加熱することが容易な状態とすることもできる。このため、各種のリサイクルプロセスを効率的に行うことが可能となる。
【００５４】
本発明は上記した実施形態に限定されるものではなく、その要旨を逸脱しない範囲で種々の変更が可能である。
【実施例】
【００５５】
図１に示すＦＲＴＰ成形品１０を室温の脱イオン水中に１週間浸漬することで吸水させた。このＦＲＴＰ成形品１０中のＮ６６の成形時における吸水率は０．２重量％未満であったが、浸漬により約４重量％まで増加した。
【００５６】
次いで、上記のように吸水させたＦＲＴＰ成形品１０を３００℃のアルゴン雰囲気中で５分間加熱した後、室温で冷却固化し、図２に示す膨張体２２を得た。
【００５７】
図２から諒解されるように、膨張体２２においては、繊維層１４、１４同士の間に多数の空隙２０が形成されていた。また、図１に示すＦＲＴＰ成形品１０に比して板厚が２倍程度となっていることが確認された。すなわち、膨張体２２では、繊維層１４、１４の層間に剥離が生じ、熱可塑性樹脂１８によって強化繊維１２が固着されている部分がＦＲＴＰ成形品１０に比して低減した。
【００５８】
この膨張体２２は、粉砕や切断用の機器・器具を用いることなく、外力を加えることで容易に解体することができた。このようにして得られた砕片２４を図３に示す。
【００５９】
このように、液体を吸収させた後に加熱を行うという極めて簡便な作業を行うことによって、ＦＲＴＰ成形品１０を容易に粉砕及び切断することが可能となる。このため、再成形用素材を得ることや、これを再加工すること等が著しく容易である。
【００６０】
さらに、粉砕及び切断処理の際、繊維層１４、１４の層間を容易に剥離させることができるため、強化繊維１２が長手方向で切断されることを抑制することができる。これは、図３の砕片２４において、強化繊維１２が数十ｍｍの長さを維持していることからも確認できる。従って、得られた再成形用素材から高強度の再成形体を成形することが可能となる。
【００６１】
以上のように、熱可塑性樹脂からの押圧力によって強化繊維が高密度に圧縮されて拘束され、この状態で熱可塑性樹脂に固着したバルク状のＦＲＴＰ成形品であっても、上記の工程を経ることによって、各種リサイクルプロセスを容易に実施することが可能な状態に変化させることができる。
【符号の説明】
【００６２】
１０…繊維強化熱可塑性樹脂（ＦＲＴＰ）成形品
１２…強化繊維                              １４…繊維層
１６…重畳体                                １８…熱可塑性樹脂
２０…空隙                                  ２２…膨張体
２４…砕片
【図１】
2015196773.tif 000003
【図２】
2015196773.tif 000004
【図３】
2015196773.tif 000005